(57)【要約】【課題】誤検出を抑制しつつ検出精度を向上させるタッチセンサ電極ユニット及びそれを用いたタッチセンサ装置を提供する。【解決手段】タッチセンサ電極ユニット２は、供給された駆動信号Ｓ１に基づいて充電され、検出対象との静電結合によって形成される静電容量に基づいた検出信号Ｓ２を出力する検出電極２１と、それぞれが検出電極２１と異なる方向から電気的に接続すると共に互いに電気的に接続された第１の配線２２及び第２の配線２３と、を備えて概略構成されている。タッチセンサ装置１は、このタッチセンサ電極ユニット２を用いて構成されている。【選択図】図１
2016081623.tif 000002
【特許請求の範囲】
【請求項１】
供給された駆動信号に基づいて充電され、検出対象との静電結合によって形成される静電容量に基づいた検出信号を出力する単電極と、
それぞれが前記単電極と異なる方向から電気的に接続すると共に互いに電気的に接続された複数の配線と、
を備えたタッチセンサ電極ユニット。
【請求項２】
前記複数の配線は、前記検出対象との静電結合によって前記検出対象の検出とされない領域において互いに電気的に接続される、
請求項１に記載のタッチセンサ電極ユニット。
【請求項３】
前記単電極は、光を透過する透明電極である、
請求項１又は２に記載のタッチセンサ電極ユニット。
【請求項４】
請求項１乃至３のいずれか１項に記載の前記タッチセンサ電極ユニットを用いたタッチセンサ装置。
【発明の詳細な説明】
【技術分野】
【０００１】
本発明は、タッチセンサ電極ユニット及びそれを用いたタッチセンサ装置に関する。
【背景技術】
【０００２】
従来の技術として、単線トラックと、円形状の導電性パッドである容量性検出要素と、単線トラックと容量性検出要素に接続する接続要素と、を備えた導電性要素が知られている（例えば、特許文献１参照。）。
【０００３】
この導電性要素の接続要素は、複数の長尺状導電性トラックと、長尺状導電性トラックと交差して接続される複数の導電性部材と、が接続されて細長いメッシュ形状を有し、複数の長尺状導電性トラックは、同じ方向から容量性検出要素と接続している。
【先行技術文献】
【特許文献】
【０００４】
【特許文献１】特表２０１４−５０６６９４号公報
【発明の概要】
【発明が解決しようとする課題】
【０００５】
しかし、従来の導電性要素は、接続要素がメッシュ形状であるので、放射ノイズが発生して、検出対象の検出精度が低下する可能性がある。また従来の導電性要素は、複数の長尺状導電性トラックが容量性検出要素と同方向から接続されて接続要素が形成されているので、意図しない操作によって接続要素に接触し、誤検出が発生する可能性がある。
【０００６】
従って、本発明の目的は、誤検出を抑制しつつ検出精度を向上させるタッチセンサ電極ユニット及びそれを用いたタッチセンサ装置を提供することにある。
【課題を解決するための手段】
【０００７】
本発明の一態様は、供給された駆動信号に基づいて充電され、検出対象との静電結合によって形成される静電容量に基づいた検出信号を出力する単電極と、それぞれが単電極と電気的に接続すると共に互いに異なる方向から電気的に接続された複数の配線と、を備えたタッチセンサ電極ユニットを提供する。
【発明の効果】
【０００８】
本発明によれば、誤検出を抑制しつつ検出精度を向上させることができる。
【図面の簡単な説明】
【０００９】
【図１】図１（ａ）は、実施の形態に係るタッチセンサ装置の一例を示す上面図であり、図１（ｂ）は、図１（ａ）のI（ｂ）-I（ｂ）線で切断した断面を矢印方向から見た断面図であり、図１（ｃ）は、タッチセンサ装置の一例を示すブロック図である。
【図２】図２（ａ）は、実施の形態に係るタッチセンサ装置のタッチセンサ電極ユニットの上面図であり、図２（ｂ）は、タッチセンサ電極ユニットの変形例を示す上面図である。
【図３】図３（ａ）は、実施の形態に係るタッチセンサ装置の操作面に接触した操作指の面積を示す概略図であり、図３（ｂ）〜図３（ｄ）は、第１の配線及び第２の配線の線幅と距離について説明するための概略図である。
【図４】図４（ａ）〜図４（ｅ）は、タッチセンサ電極ユニットの検出電極と配線の接続に関する変形例である。
【発明を実施するための形態】
【００１０】
（実施の形態の要約）
実施の形態に係るタッチセンサ電極ユニットは、供給された駆動信号に基づいて充電され、検出対象との静電結合によって形成される静電容量に基づいた検出信号を出力する単電極と、それぞれが単電極と電気的に接続すると共に互いに異なる方向から電気的に接続された複数の配線と、を備えて概略構成されている。
【００１１】
このタッチセンサ電極ユニットは、配線の幅を広げなくても、複数の配線を単電極に接続することで配線の抵抗値を減らすことができる。従ってタッチセンサ電極ユニットは、同材料で線幅が同じ１本の配線で単電極に接続する場合と比べて、検出感度が向上すると共に、操作者の操作指と配線とが意図しない静電結合を行った場合でも、配線の幅が広くないので誤検出を抑制することができる。
【００１２】
[実施の形態]
（タッチセンサ装置１の全体構成）
図１（ａ）は、実施の形態に係るタッチセンサ装置の一例を示す上面図であり、図１（ｂ）は、図１（ａ）のI（ｂ）-I（ｂ）線で切断した断面を矢印方向から見た断面図であり、図１（ｃ）は、タッチセンサ装置の一例を示すブロック図である。なお、以下に記載する実施の形態に係る各図において、図形間の比率は、実際の比率とは異なる場合がある。また図１（ｃ）では、主な信号や情報の流れを矢印で示している。
【００１３】
なお以下において接触とは、検出電極２１、第１の配線２２及び第２の配線２３に直接接触するのではなく、タッチセンサ装置１のカバー３の表面３１０を介した検出電極２１、第１の配線２２及び第２の配線２３の接触の意味で用いるものとする。
【００１４】
タッチセンサ装置１は、図１（ａ）及び図１（ｂ）に示すように、操作面３２０になされたタッチ操作の有無を検出する静電容量式のタッチセンサである。このタッチセンサ装置１は、例えば、図１（ａ）〜図１（ｃ）に示すように、タッチセンサ電極ユニット２と、基板１０と、光源１５と、制御部１６と、を備えて概略構成されている。
【００１５】
タッチセンサ装置１は、一例として、車両に搭載されるカーナビゲーション装置、空調装置、音楽及び映像再生装置等の電子機器と接続されている。またタッチセンサ装置１は、光源１５から出力された光１５０により裏面側から照明される。
【００１６】
基板１０は、例えば、ガラスエポキシ基板等のプリント配線基板である。また光源１５は、基板１０に配置され、ＬＥＤ（Light Emitting Diode）等の発光素子を含んで構成されている。
【００１７】
（タッチセンサ電極ユニット２の構成）
図２（ａ）は、実施の形態に係るタッチセンサ装置のタッチセンサ電極ユニットの上面図であり、図２（ｂ）は、タッチセンサ電極ユニットの変形例を示す上面図である。
【００１８】
タッチセンサ電極ユニット２は、図２（ａ）に示すように、フレキシブルプリント基板であるＦＰＣ（Flexible Printed Circuits）２０と、単電極としての検出電極２１と、複数の配線としての第１の配線２２及び第２の配線２３と、を備えて概略構成されている。
【００１９】
具体的には、タッチセンサ電極ユニット２は、供給された駆動信号Ｓ１に基づいて充電され、検出対象との静電結合によって形成される静電容量に基づいた検出信号Ｓ２を出力する検出電極２１と、それぞれが検出電極２１と電気的に接続すると共に互いに異なる方向から電気的に接続された第１の配線２２及び第２の配線２３と、を備えて概略構成されている。この検出対象は、一例として、操作者の指（操作指）であるが、検出電極２１と静電結合するものであれば限定されない。
【００２０】
なお互いに異なる方向からの電気的な接続とは、例えば、検出電極２１と接続する複数の配線の端部が同一方向から接続しないことである。例えば、複数の配線は、検出電極２１の同一の辺に接続されないことが好ましい。同一の辺に複数の配線が接続された場合、つまり検出電極２１に隣接して複数の配線が接続する場合、意図しない操作により、複数の配線に接触して誤検出が発生する可能性があるからである。また検出電極２１が円又は楕円のような場合、複数の配線を隣接して接続すると、配線間の距離が近いことから、意図しないタッチ操作により誤検出が発生する可能性がある。従って複数の配線は、検出電極２１との境界（辺２１１〜辺２１４）における配線間の距離が保てるように、つまり検出電極２１の辺の近傍のタッチ操作により同時に操作指と接触しない程度に離れている必要がある。よって複数の配線は、検出電極２１の異なる辺に接続することが好ましく、対向する辺に接続されることがより好ましい。言い換えるなら、複数の配線は、検出電極２１との境界（辺２１１〜辺２１４）において操作指により少なくとも２つの配線と同時に接触しない間隔で検出電極２１と電気的に接続される。
【００２１】
ＦＰＣ２０は、柔軟性を有するフィルム状の基板である。このＦＰＣ２０は、光源１５の光１５０を透過するように透明なポリエチレンテレフタラート（Polyethylene Terephthalate）樹脂等を用いて形成されている。検出電極２１、第１の配線２２及び第２の配線２３は、ＦＰＣ２０に形成されている。
【００２２】
このＦＰＣ２０の接続端２１０は、例えば、コネクタに挿入され、第１の配線２２がこのコネクタを介して制御部１６と電気的に接続されている。
【００２３】
検出電極２１は、例えば、酸化亜鉛（ZnO）、ＩＴＯ（スズドープ酸化インジウム：Indium Tin Oxide）、グラフェン等の光の透過率が高い導電性材料を用いて形成されている。本実施の形態の検出電極２１は、一例として、ＩＴＯを用いて形成される。
【００２４】
また検出電極２１は、例えば、図２（ａ）示すように、矩形状を有している。この検出電極２１は、短手方向の辺２１１に第１の配線２２が接続し、辺２１１に対向する辺２１２に第２の配線２３が接続している。この辺２１１は、接続端２１０側の辺である。なお検出電極２１は、一例として、縦ａが１０ｍｍ、横ｂが１５ｍｍである。
【００２５】
第１の配線２２及び第２の配線２３は、例えば、上述の検出電極２１と同じ材料、銀ペースト等を用いて形成されている。本実施の形態の第１の配線２２及び第２の配線２３は、一例として、銀ペーストを用いて形成される。
【００２６】
この第１の配線２２及び第２の配線２３の線幅は、一例として、同じ線幅Ｗ１である。線幅Ｗ１は、上述のサイズの検出電極２１に接続される標準的な線幅で良く、一例として、０．２５〜０．５ｍｍである。
【００２７】
また第１の配線２２と第２の配線２３の距離ｄ１は、一例として、５〜２０ｍｍであり、好ましくは、１０〜１５ｍｍである。この距離ｄ１は、例えば、タッチ操作時の操作指の接触面積、線幅Ｗ１、及びタッチ操作を判定するためのしきい値等に基づいて、誤検出が発生しないように設定される。
【００２８】
第１の配線２２は、図２（ａ）に示すように、検出電極２１の辺２１１の中央からＦＰＣ２０の接続端２１０に向かって直線的に延びた形状を有している。
【００２９】
第２の配線２３は、図２（ｂ）に示すように、第１の配線２２とは反対側の辺２１２の中央から延びて屈折部２３１により接続端２１０の方向に１８０°屈折し、さらに９０°屈折する屈折部２３２により端部２３３が第１の配線２２と接続する形状を有している。
【００３０】
この第１の配線２２及び第２の配線２３は、操作指との静電結合によって操作指の検出とされない領域において互いに電気的に接続されるのが好ましい。この操作指の検出とされない領域とは、一例として、図２（ａ）に示す第２の領域１０１である。
【００３１】
ここでタッチセンサ装置１は、一例として、図１（ｂ）に示すように、タッチセンサ装置１のカバー３の表面３１０と操作面３２０とが面一となる意匠が採用されている。従ってタッチセンサ装置１は、検出電極２１と表面３１０の距離、第１の配線２２及び第２の配線２３と表面３１０の距離がほぼ同じであるため、操作面３２０に近い場所で操作指が接触した場合、操作指が第１の配線２２及び第２の配線２３の少なくとも一方と静電結合する可能性がある。本実施の形態では、この静電結合する可能性がある領域を第１の領域１００としている。
【００３２】
またＦＰＣ２０の接続端２１０側は、第１の領域１００と比べて、第１の配線２２及び第２の配線２３と操作指の静電結合が発生し難い領域である。本実施の形態では、当該領域を第２の領域１０１としている。
【００３３】
この第２の領域１０１は、例えば、意図せず操作者が触れにくい領域、操作指と第１の配線２２及び第２の配線２３の距離が第１の領域１００よりも大きい領域等である。意図せず操作者が触れにくい領域とは、例えば、意図的に触ろうとしない限り触ることができない領域等である。また操作指と第１の配線２２及び第２の配線２３の距離が第１の領域１００よりも大きい領域とは、例えば、カバー３の表面３１０上に物が配置され、第１の配線２２及び第２の配線２３と当該物に接触する操作指との距離が大きくなる領域である。
【００３４】
なお変形例として図２（ｂ）に示すように、第１の配線２２と第２の配線２３は、ＦＰＣ２０上で電気的に接続されなくても良い。この変形例の場合は、例えば、第１の配線２２と第２の配線２３は、例えば、ＦＰＣ２０が挿入されるコネクタ等の制御部１６の手前において電気的に接続される。
【００３５】
ここで以下では、第１の配線２２と第２の配線２３の線幅と距離について説明する。
【００３６】
図３（ａ）は、実施の形態に係るタッチセンサ装置の操作面に接触した操作指の面積を示す概略図であり、図３（ｂ）〜図３（ｄ）は、第１の配線及び第２の配線の線幅と距離について説明するための概略図である。
【００３７】
以下では、静電結合により生じる静電容量は、一例として、検出電極２１、第１の配線２２及び第２の配線２３と表面３１０までの距離がほぼ同じであることから、主に、表面３１０及び操作面３２０に対する操作指９の接触面積に比例して大きくなるものとする。なお図３（ａ）に示す操作指９の接触面積Ａ２は、検出電極２１の面積Ａ１以下の面積であり、タッチ操作の判定に必要な静電容量を生成するのに必要な接触面積の一例であるものとする。
【００３８】
図３（ｂ）に示すように、第１の配線２２及び第２の配線２３の線幅Ｗ２が配線の抵抗値を小さくするために線幅Ｗ１よりも太くされている場合、操作指９により両方の配線に接触し難い距離ｄ２となるように第１の配線２２及び第２の配線２３が配置されることが好ましい。この距離ｄ２は、例えば、距離ｄ１と同じか、それ以上の距離となる。従って、操作指９が第１の配線２２又は第２の配線２３と接触した場合、その接触面積Ａ３は、タッチ操作の判定の基準となる接触面積Ａ２よりも小さいので、制御部１６によりタッチ操作有りと判定される可能性が小さい。
【００３９】
図３（ｃ）に示すように、例えば、配線間の距離ｄ３を距離ｄ１より縮めてタッチセンサ電極ユニット２を小型化する場合、操作指９により両方の配線に接触しても接触面積Ａ４及び接触面積Ａ５の合計が接触面積Ａ２より小さくなるように、線幅Ｗ１よりも線幅Ｗ３を狭くすることが好ましい。この接触面積Ａ４は、操作指９が第１の配線２２に接触した際の接触面積である。また接触面積Ａ５は、操作指９が第２の配線２３に接触した際の接触面積である。
【００４０】
なお線幅Ｗ３が線幅Ｗ１よりも狭い場合でも、第１の配線２２及び第２の配線２３の合計の抵抗値は、線幅Ｗ１の配線の抵抗値と比べて、低い抵抗値とすることが可能である。
【００４１】
図３（ｄ）に示すように、例えば、第１の配線２２と第２の配線２３の接続部２５に、意図せずタッチ操作を行うことが可能な構成をタッチセンサ装置１が有している場合、接触面積Ａ６が接触面積Ａ２より小さくなるように、線幅Ｗ４及び距離ｄ４が調整されることが好ましい。
【００４２】
（カバー３の構成）
カバー３は、例えば、ポリカーボネート樹脂、ＡＢＳ（acrylonitrile butadiene styrene copolymer）樹脂等の透明な樹脂を用いて形成されている。このカバー３の表面には、一例として、印刷部３０が形成されている。カバー３は、例えば、タッチセンサ電極ユニット２、基板１０、光源１５及び制御部１６を内包する箱形状を有する。なお、本実施の形態では、この印刷部３０の表面をタッチセンサ装置１の表面３１０としている。
【００４３】
印刷部３０は、光を遮蔽する遮蔽部３１と、文字等が形成されると共に光を透過する透過部３２と、を有している。透過部３２は、光源１５の光１５０によって形成されている文字等が照明されるように構成されている。この透過部３２の表面が操作面３２０となっている。
【００４４】
（制御部１６の構成）
制御部１６は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、しきい値１６０と、制御部１６が動作するためのプログラムと、が格納されている。ＲＡＭは、例えば、一時的に演算結果等を格納する記憶領域として用いられる。また制御部１６は、その内部にクロック信号を生成する手段を有し、このクロック信号に基づいて周期的な駆動信号Ｓ１を生成するように構成されている。
【００４５】
制御部１６は、例えば、駆動信号Ｓ１を生成してタッチセンサ電極ユニット２に出力し、検出電極２１を充電した後、放電させて検出信号Ｓ２を取得するように構成される。制御部１６は、例えば、充電と放電を周期的に行い、駆動信号Ｓ１と検出信号Ｓ２の差がしきい値１６０より大きい場合にタッチ操作がなされたと判定する。
【００４６】
この駆動信号Ｓ１は、第１の配線２２の端部２２１から接続部２５に伝播し、この接続部２５において駆動信号Ｓ１ａ及び駆動信号Ｓ１ｂとして接続部２５以降の第１の配線２２及び第２の配線２３に伝播し、検出電極２１を充電する。
【００４７】
また検出電極２１から出力された検出信号は、第１の配線２２及び第２の配線２３で分かれて検出信号Ｓ２ａ及び検出信号Ｓ２ｂとして伝播し、接続部２５において合流して検出信号Ｓ２として出力される。
【００４８】
ここで低い周波数の駆動信号Ｓ１を用いる場合、接続部２５において別れたり合流したりする際の位相差や遅延による影響は、検出精度に与える影響としては無視できるほど小さい。なお低い周波数とは、駆動信号Ｓ１の波長が伝送路である配線の長さよりも十分長い波長となる周波数である。
【００４９】
また駆動信号Ｓ１が高い周波数を有する信号である場合、接続部２５から検出電極２１までの第１の配線２２及び第２の配線２３の距離の差が、接続部２５において、検出精度に影響を与える検出信号Ｓ２ａ及び検出信号Ｓ２ｂが同位相となる、つまり波長の整数倍となることが好ましい。なお高い周波数とは、駆動信号Ｓ１の波長が配線の長さと同等、又は短くなる波長となる周波数である。
【００５０】
制御部１６は、光源１５を制御する制御信号Ｓ３を光源１５に出力する。光源１５は、制御信号Ｓ３に基づいて点灯し、光１５０を出力して検出電極２１を介して操作面３２０を照明する。
【００５１】
また制御部１６は、検出信号Ｓ２としきい値１６０に基づいて、タッチ操作が検出された場合、タッチ操作がなされたことを示す操作情報Ｓ４を生成し、接続された電子機器に出力する。
【００５２】
以下に、タッチセンサ装置１の動作について説明する。
【００５３】
タッチセンサ装置１の制御部１６は、車両の電源が投入されると、駆動信号Ｓ１を生成して、第１の配線２２に出力する。駆動信号Ｓ１は、第１の配線２２及び第２の配線２３を介して検出電極２１に供給される。
【００５４】
制御部１６は、駆動信号Ｓ１の出力を停止した後、検出電極２１から出力される検出信号Ｓ２を取得する。制御部１６は、駆動信号Ｓ１と検出信号Ｓ２の差としきい値１６０とを比較し、差がしきい値１６０より大きい場合、タッチ操作がなされたと判定する。
【００５５】
制御部１６は、制御信号Ｓ３を生成して光源１５に出力すると共に、タッチ操作がなされたとする操作情報Ｓ４を生成して接続された電子機器に出力する。光源１５は、制御信号Ｓ３に基づいて検出電極２１を介して操作面３２０を照明する。
【００５６】
（実施の形態の効果）
本実施の形態に係るタッチセンサ電極ユニット２を採用したタッチセンサ装置１は、誤検出を抑制しつつ検出精度を向上させることができる。具体的には、このタッチセンサ電極ユニット２は、配線の線幅を広げなくても、第１の配線２２及び第２の配線２３を検出電極２１に接続することで配線の抵抗値を減らすことができる。
【００５７】
従ってタッチセンサ電極ユニット２は、同材料で線幅が同じ１本の配線で検出電極２１に接続する場合と比べて、配線の抵抗値が下がって検出感度が向上する。またタッチセンサ電極ユニット２は、操作者の操作指と配線とが意図しない静電結合を行った場合、配線の線幅が広くないので接触面積が小さくなり、また生じる静電容量が小さくてタッチ操作が判定されることはないので、誤検出を抑制することができる。
【００５８】
タッチセンサ電極ユニット２は、検出電極２１として透明電極が用いられると共に、第１の配線２２及び第２の配線２３が検出電極２１と同材料、又は銀ペーストが用いられる場合、銅によって配線が行われる場合よりも配線の抵抗値が大きくなる。しかし、タッチセンサ電極ユニット２は、複数の配線を検出電極２１と接続することにより、配線の線幅を広げなくても配線の抵抗値を下げることができる。
【００５９】
またタッチセンサ電極ユニット２は、操作指が接触し辛い第２の領域１０１の接続部２５において第１の配線２２と第２の配線２３が接続されるので、接続部２５の近傍に対する操作指の接触による誤検出を抑制することができる。
【００６０】
なお上述の実施の形態の第１の配線２２及び第２の配線２３は、検出電極２１の短手方向の対向する辺２１１及び辺２１２において接続されたが、これに限定されない。以下では、複数の配線の接続に関する変形例を説明する。
【００６１】
図４（ａ）〜図４（ｅ）は、タッチセンサ電極ユニットの検出電極と配線の接続に関する変形例である。
【００６２】
図４（ａ）に示す変形例では、第１の配線２２の端部２２０が検出電極２１の短手方向の辺２１１に接続されていると共に、第２の配線２２の端部２２０が検出電極２１の長手方向の辺２１３に接続されている。この第１の配線２２及び第２の配線２３は、異なる方向から検出電極２１に接続されている。
【００６３】
図４（ｂ）に示す変形例では、辺２１１と辺２１４により作られる角に第１の配線２２の端部２２０が接続されると共に、辺２１２と辺２１３とにより作られる角に第２の配線２３の端部２３０が接続されている。この第１の配線２２及び第２の配線２３は、異なる方向から検出電極２１に接続されている。
【００６４】
図４（ｃ）に示す変形例では、第１の配線２２の端部２２０が短手方向の辺２１１に接続され、第２の配線２３の端部２３０が長手方向の辺２１３に接続され、第３の配線２４の端部２４０が辺２１３に対向する辺２１４に接続されている。つまり、当該変形例では、３つの配線が検出電極２１に接続されている。この第１の配線２２〜第３の配線２４は、異なる方向から検出電極２１に接続されている。
【００６５】
図４（ｄ）に示す変形例は、検出電極２１が辺２５１〜辺２５６を有する六角形となっている。また当該変形例では、第１の配線２２の端部２２０が辺２５２と辺２５３とで作られる角に接続されると共に、第２の配線２３の端部２３０が辺２５１に接続されている。この第１の配線２２及び第２の配線２３は、異なる方向から検出電極２１に接続されている。
【００６６】
図４（ｅ）に示す変形例は、第１の配線２２の端部２２０が検出電極２１の辺２１１に接続されると共に、第２の配線２３の端部２３０が辺２１１に対向する辺２１２に接続されている。さらに、第１の配線２２及び第２の配線２３が対向するように接続された複数の検出電極２１が、図４（ｅ）の紙面において、縦に並んで配置されている。当該変形例のように、タッチセンサ電極ユニット２は、複数の検出電極２１を備えて構成されても良い。
【００６７】
以上に示す実施の形態及び変形例に示すように、タッチセンサ電極ユニット２は、検出電極と配線の数及び形状、検出電極と配線、及び配線同士の接続場所等がタッチセンサ装置１の仕様に応じて任意であり、自由度が高い。
【００６８】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６９】
１…タッチセンサ装置、２…タッチセンサ電極ユニット、３…カバー、９…操作指、１０…基板、１５…光源、１６…制御部、２１…検出電極、２２〜２４…第１の配線〜第３の配線、２５…接続部、３０…印刷部、３１…遮蔽部、３２…透過部、１００…第１の領域、１０１…第２の領域、１５０…光、１６０…しきい値、２１０…接続端、２１１〜２１４…辺、２２０…端部、２２１…端部、２３０…端部、２３１…屈折部、２３２…屈折部、２３３…端部、２４０…端部、２５１〜２５６…辺、３１０…表面、３２０…操作面
【図１】
2016081623.tif 000003
【図２】
2016081623.tif 000004
【図３】
2016081623.tif 000005
【図４】
2016081623.tif 000006